(57)【要約】【課題】周方向に伸縮するタオル織物を両端方を開口した筒状に形成し、両開口縁の伸縮率を夫々異ならしめて安定的に内側に収容保持可能で液晶画面の清拭部材にもなる平板状携帯端末装置カバーを提供することを目的とする。【解決手段】円筒状本体２は、地経糸に弾性糸地緯糸に非弾性糸を使用したタオル地組織内にパイル糸を織り込んで両面にパイル（輪奈）を形成したタオル織物を材料としている。縁どり部３、３は、装飾用テープ５と、扁平で透明な帯状ゴム６、７及び縫い目４とよりなる。一方の開口縁に縫着した帯状ゴム６の伸縮性を高くし、他方の開口縁に縫着した帯状ゴム７の伸縮性を一方の開口縁に縫着した帯状ゴム６と比較して低くしている。【選択図】図１
0003179845.tif 000002
【実用新案登録請求の範囲】
【請求項１】
地経糸に弾性糸を用いたタオル地組織内にパイル糸を織り込んで両面若しくは裏面に輪奈を形成したタオル織物を材料とし、
前記地経糸が周方向に沿って配設され、且つ両端方を開口し内側に平板状携帯端末装置を収容可能な大きさの円筒状本体を形成し、
該円筒状本体の両端開口部が半径外方向に拡開して平板状携帯端末装置を出し入れ可能に、該円筒状本体の両端開口縁には、伸縮性を有する縁どり部を弾性糸で正面視がトラス状の縫い目で縫着し、
前記円筒状本体の内側に配設した平板状携帯端末装置が、円筒状本体の開口より外部へ出ないように、前記円筒状本体の両端開口縁に縫着した伸縮性を有する縁どり部の伸縮率を、一方の開口縁に縫着された縁どり部と他方の開口縁に縫着された縁どり部とで異ならしめたことを特徴とする平板状携帯端末装置カバー。
【考案の詳細な説明】
【技術分野】
【０００１】  本願考案は、例えばスマートフォンやタブレット型コンピュータ等のような大きな液晶画面を有する平板状携帯端末に好適なカバーに関する。
【背景技術】
【０００２】  スマートフォンは、従来の携帯電話機の通信機能に加えてネットワーク機能等を具備している。スマートフォンは、タッチパネルによる操作が主となるため、表面の殆どの面積を液晶画面からなる表示部が占有している。そのため、スマートフォンをハンドバッグ等い収納すると、筆記具等で液晶画面を損傷させるおそれがある。液晶画面の損傷を回避するために、様々なスマートフォンケースやスマートフォンカバーが存在する。
例えば、スマートフォンカバーとしては、カメラレンズ及び発光部を露出する穴が穿設され外面周縁には枠状に凸条が設けられた背板、左右側板、天板及び底板が連設された本体と、裏面に粘着剤が塗布された装飾用シールよりなり、本体の背板の凸条で囲まれる範囲に装飾用シールを貼着するようにしたものが提案されている（例えば、特許文献１参照）。
ケース上面部とケース下面部とを重ねて固定しケースカバーに枢着したスマートフォンケースが提案されている（例えば、特許文献２参照）。
内側にスマートフォンを収容可能な大きさを有し、正面に液晶画面を露呈可能な大きさの開口を設けた定型性を有する有底箱形状の固定カバーの背面外側に、面ファスナーを設けた帯状の結束用バンド装置を設け、結束用バンド装置の面ファスナーを閉じることで、スマートフォンを内側に収容した固定カバーをオートバイや自転車のハンドル等に固定するようにしたスマートフォンの固定装置が提案されている（例えば、特許文献３参照）。
上記特許文献１〜３と非特許文献１〜３に開示のスマートフォンカバー或はスマートフォンケースは、液晶画面を露呈する開口を有した有底箱状の定型性を有してなるため、携帯時に重量があり、不使用時にはコンパクト化できず嵩張るという欠点があった。又、スマートフォンの機種毎にサイズが異なるために、サイズに適合した金型を使用してケースを製造する必要性があり、製造上コスト高を招来するという欠点があった。
特許文献４と特許文献５には、布地を用いたスマートフォンカバーが開示されている。
特許文献４には長さ方向と幅方向に伸縮する布地を使用し、内側に収容したスマートフォンが開口より自然にはみ出てこないようにするために、両端開口部を狭窄して筒状に形成したスマートフォンカバーが開示されている。特許文献４の［００１８］の段によると、布地は油分や水分の高吸収性を有する植物性繊維を使用してパイル織物やガーゼ織物に織成したものや、リブ編物、これら複数種類の布地を積層して使用することが包含される。
特許文献４に開示のスマートフォンカバーであると、複数種類の布地を積層したものも包含されるという記載内容より、布地はスマートフォンを保護するためにある程度の肉厚を有するものであることを考案者は示唆しているものと推察される。特許文献４に開示のスマートフォンカバーは、長さ方向と幅方向に伸縮する織物等を用いて開口部が狭窄されているので、狭窄部が周方向に拡開し易く容易にスマートフォンが抜け出るという問題点があった。又、長さ方向と幅方向に伸縮する布地を使用しているので、スマートフォンの大きさによってはスマートフォンの角部のカバーが伸長して肉厚が薄くなり、角部が充分にカバーで保護されないという問題点があった。
特許文献５の図面中の［図３］及び明細書の［００１３］の段には、内側にゴムバンドを配設し携帯電話の幅方向長さと略同じ横幅のタオル織物よりなる帯状布地の両端縁をヒンジ片で挟着して環状のバンド型にし、ヒンジ片に紐を取り付けた携帯電話用ストラップが提案されている。
特許文献５に開示の考案であると、バンド型の布地内に携帯電話の横幅と略同幅のゴムバンドを配設しているため、ゴムバンドの復元力で上下方向への付勢力で携帯電話を挟み付けて布地の内側に携帯電話を縦方向に巻き付ける形で収容するようにして使用する。そのため、ゴムバンドの作用力は布地のどの位置にも均一に作用する。そのため、開口を半径外方向に拡開すると布地横幅方向の全ての位置も同じ量半径外方向に拡開する。特許文献５に開示のストラップをスマートフォンカバーに応用すると仮定すると、開口部と収容部の圧力が同じであるため、開口からスマートフォンが抜け出やすいという問題点があった。
【特許文献１】実用新案登録第３１６８０９０号の登録実用新案公報
【特許文献２】実用新案登録第３１７６９６０号の登録実用新案公報
【特許文献３】実用新案登録第３１７６９７２号の登録実用新案公報
【特許文献４】実用新案登録第３１５４７９９号の登録実用新案公報
【特許文献５】実願２０００−４８８８の全文明細書
【非特許文献１】かわいいスマートフォンケース・カバーがいっぱい  スマートフォン女子特集のインターネット上のホームページ
【非特許文献２】スマートフォンケース一覧のインターネット上のホームページ
【非特許文献３】「スマートフォンカバー」の検索結果‐Ｙａｈｏｏ！ショッピングのインターネット上のホームページ
【考考案が解決しようとする課題】
【０００３】  本願考案は上記従来技術の有する問題点に鑑みて創案されたものであって、周方向に伸縮するタオル織物を両端方を開口した筒状に形成し、開口縁には伸縮性を有する部材を伸縮可能な縫い目で縫着することで、スマートフォンを容易に開口から出し入れし得るようにし、内側に収容されたスマートフォンは開口部を人為的に拡開しない限り、外部に出て行かないようにしてスマートフォンが安定的に内側に収容保持可能な平板状携帯端末装置カバーを提供することを目的とする。
【課題を解決するための手段】
【０００４】  上記目的を達成するために本願考案のうち請求項１に記載の考案は、地経糸に弾性糸を用いたタオル地組織内にパイル糸を織り込んで両面若しくは裏面に輪奈を形成したタオル織物を材料とし、前記地経糸が周方向に沿って配設され、且つ両端方を開口し内側に平板状携帯端末装置を収容可能な大きさの円筒状本体を形成し、該円筒状本体の両端開口部が半径外方向に拡開して平板状携帯端末装置を出し入れ可能に、該円筒状本体の両端開口縁には、伸縮性を有する縁どり部を弾性糸で正面視がトラス状の縫い目で縫着し、前記円筒状本体の内側に配設した平板状携帯端末装置が、円筒状本体の開口より外部へ出ないように、前記円筒状本体の両端開口縁に縫着した伸縮性を有する縁どり部の伸縮率を、一方の開口縁に縫着された縁どり部と他方の開口縁に縫着された縁どり部とで異ならしめたことを特徴とする。
【考案の効果】
【０００５】  本願考案は、パイルを形成したタオル織物に軸方向には非伸縮性糸を使用し、周方向には伸縮性を有する弾性糸を用い、開口縁には伸縮性を有する縁どり部をトラス状に縫着しているので、収容される平板状携帯端末装置の横幅に多少の差があっても開口が拡開して内側に平板状携帯端末装置を収納しやすいという効果がある。
本願発明は、一方の開口縁に縫着した縁どり部と他方の開口縁に縫着した縁どり部の伸縮率に差を設け、高伸縮率の縁どり部側の開口は平板状携帯端末装置の出し入れ口とし、低伸縮率の縁どり部側の開口は内側に収容した平板状携帯端末装置が落下しないように平板状携帯端末装置を低伸縮率の縁どり部で支持しているために、一旦高伸縮率の縁どり部側の開口からカバーの内側に収容した平板状携帯端末装置は、高伸縮率の縁どり部側の開口を人為的に拡開する方法以外では自然に外部へ抜け出ることはないという信頼性の高い製品を提供できるという効果がある。
本願考案は、地経糸が周方向を沿って配設されていることより、表出しているパイルは同一周方向を向いて配設されている。平板状携帯端末装置の出し入れの際に、筒状の平板状携帯端末装置カバーの内側面に表出されたパイルには、平板状携帯端末装置外面がカバーの軸方向に沿って往復動をし、パイルの向きに対して９０度の角度を有してパイルに摺接するように動作するが、平板状携帯端末装置の作用する力の方向とパイルの向く方向が互いに略９０度の角度となっているので、内側に表出したパイル向きは平板状携帯端末装置の多数回の出し入れによっても乱れることがなく、常に一定周方向を向いて配設され、平板状携帯端末装置の出し入れによるパイル部の劣化損傷という事態が発生しないという効果がある。
本願考案は、内側面に表出したパイルのクッション性により平板状携帯端末装置の液晶画面を保護し、外側面に表出したパイルで汗や水分が平板状携帯端末装置に付着せず、又、使用中に平板状携帯端末装置に付着した指紋或は水分若しくは油分等の汚れは表面側に表出したパイルで清拭することができ便利であるという効果がある。
本願考案は繊維製品を材料とするので、軽量で折り畳んでコンパクト化でき、嵩張らず携帯に便利であるという効果がある。
本願考案は、タオル織物と縁どり部及び縫糸より構成されるので、低コストな平板状携帯端末装置カバーを提供できるという効果がある。
本願考案は、タオル織物地に模様を形成することで装飾性を持たせることが出来る。
【考案を実施するための形態】
【０００６】  周方向に弾性糸よりなる地経糸を用いることで周方向に伸縮し半径外方向に拡開可能で、軸方向に非弾性糸よりなる地緯糸を用いることで軸方向への伸縮を防止し、内側に収納した平板状携帯端末装置の角部を被覆するカバーの厚みが薄くなることを防止して、平板状携帯端末装置の完全な保護を実現し、一方の開口縁と他方の開口縁に縫着した縁どり部の伸縮率を異ならしめることで、一方の開口を平板状携帯端末装置の出し入れ口とし他方の開口を平板状携帯端末装置の支持作用を持たせて抜け出ることがないようにし、円筒状本体両端開口縁への縁どり部の縫付け方法をトラス状縫い目にすることで、開口の半径外方向への拡開及び復元を実現した。
【実施例１】
【０００７】  図１〜図３を参照にして実施例１について説明する。
平板状携帯端末装置カバー１は、円筒状本体２の両端開口縁に縁どり部３をトラス状の縫い目４で縫着してなる。
円筒状本体２は、地経糸に弾性糸、例えばウレタン糸を使用し、地緯糸に１００％が綿の綿糸を使用し、地経糸と地緯糸を絡ませたタオル地組織内に、吸水性及び吸油性を有する繊維よりなるパイル糸を織り込んで両面にパイル（輪奈）を形成した平視が略矩形状のタオル織物片を用いている。円筒状本体２は、タオル織物片を弾性糸よりなる地経糸が周方向に沿うようにすると共に、非弾性糸よりなる地緯糸が軸方向を沿わせるようにしている。すなわち、タオル織物片の地緯糸の配設方向と平行な端縁を互いに重合し、重合部を縫合して一体的にし、上下両端方を開放した軸方向が幅方向よりも長い円筒状に形成している。パイルの向きは周方向に沿って向いている。通常、タオル織物は、織成進行方向に沿ってパイル経糸でパイルを形成していくので、パイルの向きは地経糸方向に沿って向いている。従って、円筒状本体１のパイルの向きは、同一周方向に向いて均一に表出され、且つ円筒状本体１の軸線に直交する方向に向いている。【０００８】  縁どり部３、３は、装飾用テープ５と、扁平で透明な帯状ゴム６、７及び縫い目４とよりなる。
装飾用テープ５は、装飾用テープ５の長さ方向に伸縮性を有し、縫着用基部と装飾部を具備したレース状のもの等を使用すると好適である。帯状ゴム６、７は、扁平で透明な弾性材料よりなる。具体的には、透明なポリウレタン系ゴムを材料とし、肉厚が０．１ｍｍ〜０、５ｍｍ程度で、幅が５ｍｍ程度の扁平帯状のものを使用することが好適である。円筒状本体２の両端開口部の内側面に、装飾用テープ５の装飾部を開口縁より外方に位置させて装飾用テープ５の縫着用基部を重合し、円筒状本体２の両端開口部の外側面には環状に形成した帯状ゴム６、７を重合し、帯状ゴム６、７と装飾用テープ５の縫着用基部とで円筒状本体２の両端開口縁部をサンドイッチ状に挟み付けた状態下で、縫糸で平視がトラス状の縫い目４、例えば、千鳥縫いで以って帯状ゴム６、７と装飾用テープ５の縫着用基部とを円筒状本体２の両端開口縁部に縫着する。トラス状の縫い目４は、非弾性糸、例えば１００％綿の綿糸や１００％ポリエステルのポリエステル糸、１００％ナイロンのナイロン糸であってよい。帯状ゴム６、７は伸縮率を異ならしめている。一方の開口縁に縫着した帯状ゴム６の伸縮性を高くし、他方の開口縁に縫着した帯状ゴム７の伸縮性を一方の開口縁に縫着した帯状ゴム６と比較して低くしている。【０００９】  次に作用について説明する。実施例１では円筒状本体２は、地経糸に弾性糸を使用し、地緯糸に非弾性糸を用いたタオル織物片を、地経糸が周方向に沿うように円筒状に縫成して形成されているので、円筒状本体２は半径外方向に力を作用することでは拡径し、作用力を解放すると地経糸の復元力で復元し、縮径して元の形状になる。地緯糸には非弾性糸を使用しているので、円筒状本体２の軸方向の長さを伸長変化させることはできない。地緯糸には非弾性糸を使用していることより、スマートフォン等の平板状携帯端末装置８を円筒状本体２の内側に収容した場合、スマートフォン等の平板状携帯端末装置８の角部で円筒状本体２の内側から外方に力を作用してもスマートフォン等の平板状携帯端末装置８の角部を覆う円筒状本体２を構成するタオル織物の厚みは変化しない。
円筒状本体２の帯状ゴム６、７の伸縮性を一方の開口縁に縫着したものと、他方の開口縁に縫着したものとで異ならしめている。一方の開口縁に縫着した帯状ゴム６の伸縮性を高くし、一方の開口の拡開量を大にすることで、容易にスマートフォン等の平板状携帯端末装置８をスマートフォン等の平板状携帯端末装置８の底部から差し入れ可能にした。他方の開口縁に縫着した帯状ゴム７の伸縮性を一方の開口縁に縫着した帯状ゴム６と比較して低くすることで、他方の開口の拡開量を小にし、スマートフォン等の平板状携帯端末装置８の底部を帯状ゴム７が縫着された他方の開口縁周縁部で支持し、スマートフォン等の平板状携帯端末装置８が容易に抜け出ないようにした。
【実施例２】
【００１０】  図４を参照にして実施例２について説明する。説明を簡単にするために図１〜図３と同様な作用をなす部分は図１〜図３と同じ符号を用いて説明する。平板状携帯端末装置カバー９は、円筒状本体１０は、地経糸に弾性糸、例えばウレタン糸を使用し、地緯糸に１００％が綿の綿糸を使用し、地経糸と地緯糸を絡ませたタオル地組織内に、吸水性及び吸油性を有する繊維よりなるパイル糸を織り込んで両面にパイル（輪奈）を形成した平視が略矩形状のタオル織物片を用いている。円筒状本体１０は、タオル織物片を弾性糸よりなる地経糸が周方向に沿うようにすると共に、非弾性糸よりなる地緯糸が軸方向を沿わせるようにしている。タオル織物片の地緯糸の配設方向と平行な端縁を互いに重合し、重合部を縫合して一体的にし、左右両端方を開放した円筒状に形成している。【００１１】  左右開口縁には縁どり部３、３を設けている。縁どり部３、３は長さ方向に伸縮する装飾用テープ５と、扁平で透明な帯状ゴム６、７及び縫い目４とよりなる。帯状ゴム６、７は透明なポリウレタン系ゴムを材料とし、肉厚が０．１ｍｍ〜０．５ｍｍ程度で、幅が５ｍｍ程度の扁平帯状のものを使用することが好適である。円筒状本体１０の両端開口部の内側面に、装飾用テープ５の装飾部を開口縁より外方に位置させて装飾用テープ５の縫着用基部を重合し、円筒状本体１０の両端開口部の外側面には環状に形成した帯状ゴム６、７を重合し、帯状ゴム６、７と装飾用テープ５の縫着用基部とで円筒状本体２の両端開口縁部をサンドイッチ状に挟み付けた状態下で、縫糸で平視がトラス状の縫い目４で以って帯状ゴム６、７と装飾用テープ５の縫着用基部とを円筒状本体１０の両端開口縁部に縫着する。両端開口に設けた帯状ゴム６、７は、互いに伸縮率を異ならしめている。一方の開口縁に縫着した帯状ゴム６の伸縮性を高くし、他方の開口縁に縫着した帯状ゴム７の伸縮性を一方の開口縁に縫着した帯状ゴム６と比較して低くしている。高伸縮性の帯状ゴム６が縫着された一方の開口を平板状携帯端末装置８の出し入れ口とする。低伸縮性の帯状ゴム７が縫着された他方の開口縁は円筒状本体１０の内側に収容された平板状携帯端末装置８が他方の開口から抜け出ないように平板状携帯端末装置８の側縁を係止している。
【図面の簡単な説明】
【００１２】
【図１】平板状携帯端末装置カバーの斜視図である。（実施例１）
【図２】平板状携帯端末装置の差し入れ前の状態を示す正面説明図である。（実施例１）
【図３】平板状携帯端末装置を収容した状態の一部切欠状態を示す正面図である。（実施例１）
【図４】内側に平板状携帯端末装置を収容した平板状携帯端末装置カバーを示す正面図である。（実施例２）
【符号の説明】
【００１３】  １、９  平板状携帯端末装置カバー
２、１０  円筒状本体
３  縁どり部
４  縫い目
５  装飾用テープ
６、７  帯状テープ
８  平板状携帯端末装置
【図１】
0003179845.tif 000003
【図２】
0003179845.tif 000004
【図３】
0003179845.tif 000005
【図４】
0003179845.tif 000006